(57)【要約】【課題】  外耳道内空間の密閉度が高いイヤーピースを聴取者の外耳道に挿脱する際に、聴取者の鼓膜に大きな気圧変化を加えないようにし、装着時の音声再生特性および遮音特性に優れたイヤーホンを提供する。【解決手段】  ハウジングが、聴取者がイヤーホンを外耳道に挿脱する場合に手の指で保持するハウジングボディと、ハウジングボディに設けられて前室空間とハウジングの外部自由空間とを連通する通気管と、通気管内の空気の流れを制御する開閉機構と、を有し、開閉機構が、聴取者がイヤーピースを外耳道に挿脱する場合にハウジングボディを手の指で保持する動作によって通気管内の空気を移動可能にするように開き、かつ、聴取者がハウジングボディから指を離す動作によって通気管内の空気を移動不可能なように閉じる開閉弁を備える。【選択図】  図１
2008147710.tif 000002
【特許請求の範囲】
【請求項１】
ドライバーと、該ドライバーを固定して該ドライバーの前室空間ならびに該前室空間に連通する音道を規定するハウジングと、該音道の外側を包囲して聴取者の外耳道に挿脱されるイヤーピースと、を備えるイヤーホンであって、
該ハウジングが、該聴取者が該イヤーホンを該外耳道に挿脱する場合に手の指で保持するハウジングボディと、該ハウジングボディに設けられて該前室空間と該ハウジングの外部自由空間とを連通する通気管と、該通気管内の空気の流れを制御する開閉機構と、を有し、
該開閉機構が、該聴取者が該イヤーピースを該外耳道に挿脱する場合に該ハウジングボディを手の指で保持する動作によって該通気管内の空気を移動可能にするように開き、かつ、該聴取者が該ハウジングボディから指を離す動作によって該通気管内の空気を移動不可能なように閉じる開閉弁を備える、
イヤーホン。
【請求項２】
前記通気管が、前記ハウジングボディに形成された溝部であり、
前記開閉機構の前記開閉弁が、板バネ部材で形成されていて、該板バネ部材の一端が該ハウジングボディに固定され、該板バネ部材の他端が該ハウジングボディから前記聴取者の手の指に当接可能に突出し、該板バネ部材の中間部が該通気管を開閉する弁部を形成する、
請求項１に記載のイヤーホン。
【請求項３】
前記通気管が、前記ハウジングボディに形成された溝部であり、
前記開閉機構の前記開閉弁が、通気性のない低反発材料で形成されていて、定常時には該溝部を充填する寸法に加工されたブロック部材であり、該ブロック部材の一端が該ハウジングボディの該溝部に固定され、該ブロック部材の他端が該ハウジングボディの該溝部から前記聴取者の手の指に当接可能に突出し、該ブロック部材の中間部が該通気管を開閉する弁部を形成する、
請求項１に記載のイヤーホン。
【請求項４】
前記通気管が、前記ハウジングボディに形成された貫通孔であり、
樹脂で形成されている前記開閉機構の前記開閉弁が、該通気管内に配置されて該貫通孔を開閉する平板状の弁部と、該弁部から該貫通孔を通じて前記聴取者の手の指に当接可能に突出して形成される突起部と、を有し、
該開閉機構が、該開閉弁の該弁部と該ハウジングボディとの間に狭持される弾性体をさらに備える、
請求項１に記載のイヤーホン。
【発明の詳細な説明】
【技術分野】
【０００１】
本発明は、聴取者の耳介腔に装着して音声を再生するイヤーホンであって、特に、聴取者の外耳道に挿脱されるイヤーピースを備えるインナーイヤー型のイヤーホンに関する。
【背景技術】
【０００２】
聴取者の耳介腔に装着して音声を再生するイヤーホンにおいて、いわゆるインナーイヤー型のイヤーホンのなかには、外耳道に挿脱されるイヤーピース（もしくは、イヤーチップ。）を備えるものがある。イヤーピースは、インナーイヤー型のイヤーホンが挿脱される聴取者の外耳道を保護するために、エラストマー、ゴム、ウレタンといった軟質の材料で形成され、聴取者の外耳道に挿入されると、金属若しくは樹脂で形成されるイヤーホンのハウジングとの間に狭みこまれて、聴取者の外耳道に密着するように弾性変形する。
【０００３】
イヤーピースの材料および形状により、外耳道の密閉度が変わるので、イヤーピースは、イヤーホンの音声再生特性（特に低音域。）と、外部自由空間の騒音が聴取者へ伝搬しないようにする遮音特性と、に影響を与える。イヤーピースが弾性変形して聴取者の外耳道に密着することで構成される空間（以下、外耳道内空間という。）の密閉の具合が聴取者によって変化し、外部自由空間に対する密閉具合がバラつくと、イヤーホンの低音域の音声再生特性が聴取者によって変化しやすくなる。また、外耳道内空間が、外部自由空間と通気可能に連通していると、イヤーホンの遮音特性は劣化し、外部の騒音が聴取者へ伝わりやすくなる。
【０００４】
従来には、外耳道内空間が密閉されることにより発生する音の「コモリ」に起因する音質の劣化を、通気抵抗体を介して外部自由空間に連通させる通気孔をイヤーホンに設けることにより、防止しようとするものがある（特許文献１、特許文献２）。また、同様に、外耳道内空間における再生音の高音圧などによる圧力上昇分が、ドライバーの振動板に反発力として作用して再生音に悪影響を与えたり、振動板を損傷したりすることを防止するものとして、イヤーピースに該当するプロテクターの周壁部に、外耳道内空間と外部自由空間とを連通する連通路を形成したものがある（特許文献３）。さらに、従来には、外耳道内空間と外部自由空間とを連通する連通路を形成したイヤーホンにおいて、この連通路を開閉する蓋または移動突起を有するものがある（特許文献４）。
【０００５】
【特許文献１】特開２０００−３４１７８４号公報
【特許文献２】特開２００５−１９１６６３号公報
【特許文献３】特開２００６−１６６１５９号公報
【特許文献４】実開平３−１１７９９５号公報
【０００６】
しかし、イヤーホンが、音声再生特性と遮音特性とに優れる密閉型として設計されている場合には、イヤーピースが通気性のない材料で形成されている、あるいは、イヤーピースが聴取者の外耳道に密着して外耳道内空間と外部自由空間とをほぼ遮断する形状に設計されていることがある。このような密閉型のイヤーホンでは、外耳道内空間と外部自由空間とを連通する連通路は形成されていないことが多い。また、連通路が形成されているとすれば、音声再生時には連通路を確実に閉塞しておかなければ、所定の音声再生特性および遮音特性を確保できない。
【０００７】
さらに、イヤーピースが聴取者の外耳道に密着して、外耳道内空間と外部自由空間とをほぼ遮断するようなイヤーホンにおいては、上記のように外耳道内空間の密閉度が高いので、イヤーピースを聴取者の外耳道に挿脱する際に外耳道内空間の気圧の変化が大きくなり、聴取者の鼓膜にも大きな気圧変化が加わるという問題がある。つまり、聴取者がイヤーホンを外耳道に挿脱する際に、鼓膜に痛みを感じたり、圧迫感を感じたりする場合があるという問題がある。大きな気圧変化で鼓膜が押しつけられたり引っ張られたりすると、鼓膜および耳小骨に障害を生じ、後遺症を残すおそれもある。
【発明の開示】
【発明が解決しようとする課題】
【０００８】
本発明は、上記の従来技術が有する問題を解決するためになされたものであり、その目的は、聴取者の耳介腔に装着して音声を再生するイヤーホンにおいて、特に、外耳道内空間の密閉度が高いイヤーピースを聴取者の外耳道に挿脱する際に、聴取者の鼓膜に大きな気圧変化を加えないようにし、装着時の音声再生特性および遮音特性に優れたイヤーホンを提供することにある。
【課題を解決するための手段】
【０００９】
本発明のイヤーホンは、ドライバーと、ドライバーを固定してドライバーの前室空間ならびに前室空間に連通する音道を規定するハウジングと、音道の外側を包囲して聴取者の外耳道に挿脱されるイヤーピースと、を備えるイヤーホンであって、ハウジングが、聴取者がイヤーホンを外耳道に挿脱する場合に手の指で保持するハウジングボディと、ハウジングボディに設けられて前室空間とハウジングの外部自由空間とを連通する通気管と、通気管内の空気の流れを制御する開閉機構と、を有し、開閉機構が、聴取者がイヤーピースを外耳道に挿脱する場合にハウジングボディを手の指で保持する動作によって通気管内の空気を移動可能にするように開き、かつ、聴取者がハウジングボディから指を離す動作によって通気管内の空気を移動不可能なように閉じる開閉弁を備える。
【００１０】
好ましくは、本発明のイヤーホンは、通気管が、ハウジングボディに形成された溝部であり、開閉機構の開閉弁が、板バネ部材で形成されていて、板バネ部材の一端がハウジングボディに固定され、板バネ部材の他端がハウジングボディから聴取者の手の指に当接可能に突出し、板バネ部材の中間部が通気管を開閉する弁部を形成する。
【００１１】
また、好ましくは、本発明のイヤーホンは、通気管が、ハウジングボディに形成された溝部であり、開閉機構の開閉弁が、通気性のない低反発材料で形成されていて、定常時には溝部を充填する寸法に加工されたブロック部材であり、ブロック部材の一端がハウジングボディの溝部に固定され、ブロック部材の他端がハウジングボディの溝部から聴取者の手の指に当接可能に突出し、ブロック部材の中間部が通気管を開閉する弁部を形成する。
【００１２】
また、好ましくは、本発明のイヤーホンは、通気管が、ハウジングボディに形成された貫通孔であり、樹脂で形成されている開閉機構の開閉弁が、通気管内に配置されて貫通孔を開閉する平板状の弁部と、弁部から貫通孔を通じて聴取者の手の指に当接可能に突出して形成される突起部と、を有し、開閉機構が、開閉弁の弁部とハウジングボディとの間に狭持される弾性体をさらに備える。
【００１３】
以下、本発明の作用について説明する。
【００１４】
本発明のイヤーホンは、音声信号を音波に変換するドライバーと、ドライバーを固定してドライバーの前室空間ならびに前室空間に連通する音道を規定するハウジングと、音道の外側を包囲して聴取者の外耳道に挿脱されるイヤーピースと、を備える。ドライバーは、振動板を備える動電型ドライバーの他に、バランスドアーマチュア型ドライバー、もしくは、圧電型ドライバーであってもよい。ハウジングは、金属若しくは樹脂で形成されて、ドライバーから発せられた音波が伝搬する前室空間ならびに前室空間に連通する音道を規定する。イヤーホンの装着時には、この音道は聴取者の外耳道に挿入される。そして、イヤーピースは、音道の外側を包囲しており、聴取者の外耳道との間に狭みこまれて、聴取者の外耳道に密着するように弾性変形する。
【００１５】
ハウジングは、前室空間ならびに音道の他に、聴取者がイヤーホンを外耳道に挿脱する場合に手の指で保持するハウジングボディと、ハウジングボディに設けられて前室空間とハウジングの外部自由空間とを連通する通気管と、通気管内の空気の流れを制御する開閉機構と、を有する。この開閉機構は、聴取者がイヤーピースを外耳道に挿脱する場合にハウジングボディを手の指で保持する動作によって通気管内の空気を移動可能にするように開き、かつ、聴取者がハウジングボディから指を離す動作によって通気管内の空気を移動不可能なように閉じる開閉弁を備える。
【００１６】
すなわち、この開閉機構は、聴取者がイヤーホンを外耳道に挿脱する際に、ハウジングボディを手の指で保持する動作に合わせて開閉弁が開き、通気管内の空気が、前室空間とハウジングの外部自由空間とを連通させる。したがって、本発明のイヤーホンは、イヤーピースが、聴取者の外耳道に密着して外耳道内空間と外部自由空間とをほぼ遮断するような外耳道内空間の密閉度が高いものであっても、外耳道に挿脱する際に外耳道内空間の気圧の変化が大きくならず、聴取者の鼓膜に大きな気圧変化が加わることがない。聴取者がイヤーホンを外耳道に挿脱する際に、鼓膜に痛みを感じたり圧迫感を感じたりすることがないので、鼓膜および耳小骨に障害を生じ、後遺症を残すおそれもない。
【００１７】
一方で、聴取者がイヤーホンを外耳道に挿入した際は、ハウジングボディから手の指を離すと、開閉弁が閉じて外耳道内空間の密閉度を高めることができる。したがって、イヤーホンを装着した音声再生時には、通気管が確実に閉塞し、所定の音声再生特性および遮音特性を確保して、聴取者に音声再生することができる。つまり、従来の連通路を開閉する蓋または移動突起を有するイヤーホンにおいては、聴取者がイヤーホンを外耳道に挿入した後にあらためて意図してイヤーホンの通気性を調整しなければならないといった操作性の悪さを感じることがあるのに対して、本発明のイヤーホンでは、外耳道に挿入した後になかば自動的に通気管が閉塞するので、特別な操作を要することなく所定の音声再生特性および遮音特性を確保することができ、かつ、装着時の外耳道内空間の気圧変化を原因とする問題も解消することができる。
【００１８】
具体的には、通気管がハウジングボディに形成された溝部である場合には、開閉機構の開閉弁は、板バネ部材で形成されているか、通気性のない低反発材料で形成されたブロック部材である。また、通気管がハウジングボディに形成された貫通孔である場合には、開閉機構の開閉弁は、樹脂で形成されている平板状の弁部と、弁部から貫通孔を通じて突出する突起部と、を有し、さらに、開閉弁の弁部とハウジングボディとの間に狭持される弾性体を備える。開閉機構の開閉弁は、いずれも、通気管を開閉する弁部と、聴取者の手の指に当接可能にハウジングボディから突出する部分と、を備えていればよい。
【００１９】
なお、開閉機構の開閉弁は、聴取者がハウジングボディを手の指で保持する動作に際して指と当接する当接部材を、ハウジングボディの外側に備えていてもよい。聴取者がイヤーホンを外耳道に挿脱する際に、ハウジングボディを手の指で保持する動作で当接部材が押されると、その動作に合わせて開閉弁が開くので、通気管内の空気が前室空間とハウジングの外部自由空間とを連通させることができる。また、聴取者がイヤーホンを外耳道に挿入した後は、ハウジングの当接部材から指を離すので、開閉弁が閉じて通気管を閉塞し、所定の音声再生特性および遮音特性を確保することができる。
【発明の効果】
【００２０】
聴取者の耳介腔に装着して音声を再生するイヤーホンにおいて、特に、外耳道内空間の密閉度が高いイヤーピースを聴取者の外耳道に挿脱する際に、聴取者の鼓膜に大きな気圧変化が加わることがなく、聴取者は鼓膜に痛みを感じたり圧迫感を感じたりすることがない。また、装着時の音声再生特性および遮音特性に優れたイヤーホンを提供することができる。
【発明を実施するための最良の形態】
【００２１】
本発明のイヤーホンは、外耳道内空間の密閉度が高いイヤーピースを聴取者の外耳道に挿脱する際に、聴取者の鼓膜に大きな気圧変化を加えないようにし、装着時の音声再生特性および遮音特性に優れたイヤーホンを提供するという目的を、ハウジングが、聴取者がイヤーホンを外耳道に挿脱する場合に手の指で保持するハウジングボディと、ハウジングボディに設けられて前室空間とハウジングの外部自由空間とを連通する通気管と、通気管内の空気の流れを制御する開閉機構と、を有し、開閉機構が、聴取者がイヤーピースを外耳道に挿脱する場合にハウジングボディを手の指で保持する動作によって通気管内の空気を移動可能にするように開き、かつ、聴取者がハウジングボディから指を離す動作によって通気管内の空気を移動不可能なように閉じる開閉弁を備えるようにすることにより、実現した。
【００２２】
以下、本発明の好ましい実施形態によるイヤーホンについて説明するが、本発明はこれらの実施形態には限定されない。
【実施例１】
【００２３】
図１は、本発明の好ましい実施形態によるイヤーホン１を説明する図である。図１（ａ）は、イヤーホン１の外観斜視図であり、図１（ｂ）は、イヤーホン１を構成する各部品について順番に並べた分解斜視図である。また、図２は、本発明のイヤーホン１の内部構造と、このイヤーホン１を聴取者１０の両耳のうちその一方の耳（耳介１１、耳介腔１２、外耳道１３。）に装着した場合と、を説明する断面図である。なお、後述するように、イヤーホン１の一部の構造や、内部構造等、そして、聴取者１０の鼓膜及び内耳は、省略している。
【００２４】
本実施例のイヤーホン１は、聴取者１０の外耳道１３にイヤーピース３を挿入して装着するインナーイヤー型のイヤーホンである。イヤーホン１は、口径φ１．３ｃｍの振動板を備える動電型ドライバー２と、イヤーピース３と、（図示しない）信号コードを通すブッシング７が、ハウジング４に取り付けられて構成されている。イヤーホン１は、イヤーピース３が聴取者の外耳道１３に密着して外耳道内空間１４と外部自由空間とをほぼ遮断する形状に設計されている密閉型のイヤーホンである。
【００２５】
動電型ドライバー２は、内磁型の磁気回路と、ボイスコイルが接着されたコーン型振動板を備えており、ボイスコイルに音声信号電流が流れると、振動板に駆動力が作用して振動し、振動板から音波を放射して音声信号を音声に変換する。動電型ドライバー２には、ブッシング７の内部を貫通して接続される（図示しない）信号コードが接続しており、（図示しない）増幅器から音声信号が供給される。
【００２６】
ハウジング４は、動電型ドライバー２の振動板の前面側を構成するＦハウジング５と、動電型ドライバー２の振動板の背面側を構成するＲハウジング６と、から構成され、Ｆハウジング５およびＲハウジング６は、ともにＡＢＳ（アクリロニトリル−ブタジエン−スチレン）樹脂で形成されている。ハウジング４は、動電型ドライバー２等の構成部品を取り付ける筐体を構成するとともに、聴取者１０が外耳道１３にイヤーピース３を挿入して、このイヤーホン１を装着する際には、聴取者１０が手の指で保持するハウジングボディを形成する。なお、ハウジング４は、ＰＰ（ポリプロピレン）樹脂、アクリル樹脂、等の他の樹脂で形成されていてもよい。
【００２７】
Ｆハウジング５は、動電型ドライバー２の振動板の前面側を覆う漏斗状の前ボディ部５ａと、外耳道１３に挿入される管部５ｂと、を備える。すなわち、前ボディ部５ａは、動電型ドライバー２から放射される音波が入射する前室空間５ｄを規定し、ボディ部５ａと一体成形される管部５ｂは、放射される音波を聴取者１０の外耳道１３を導く音道５ｅを規定し、管部５ｂは前室空間５ｄに連通している。管部５ｂは、聴取者１０の外耳道１３に挿入可能な細い円筒状の部材であり、その円筒の外側曲面にイヤーピース３が取り付けられる。また、Ｆハウジング５は、後述する溝部５ｆを形成する突起部５ｃを有する。
【００２８】
また、Ｒハウジング６は、動電型ドライバー２の振動板の背面側を覆う略円錐の後ボディ部６ａと、ブッシング７が取り付けられるブッシング取付部６ｂと、を備える。すなわち、後ボディ部６ａは、動電型ドライバー２の後室空間６ｄを規定し、その外面側には、聴取者１０が手の指で保持する保持部６ｅを規定する。なお、図１（ａ）において、矢印９ａ〜９ｃは、聴取者１０がハウジング４の保持部６ｅを保持する３本の手の指（例えば、９ａ：親指、９ｂ：人差し指、９ｃ：中指）が、保持部６ｅに加える力の方向を表している。図１（ａ）のように３本の指でハウジング４の保持部６ｅを３方向から支持すれば、聴取者１０は、イヤーホン１を挿脱可能に強く保持することができる。また、Ｒハウジング６は、後述する溝部６ｆを形成する突起部６ｃを有し、突起部６ｃには、開閉弁８を含む開閉機構が設けられている。
【００２９】
イヤーピース３は、前述の通り、聴取者の外耳道１３に密着して、外耳道内空間１４と外部自由空間とをほぼ遮断する形状に設計されている。イヤーピース３は、軟らかい通気性を有しない透明なオレフィン系のエラストマーで形成されており、Ｆハウジング５の管部５ｂの円筒の外側曲面に嵌合する円筒状の内側嵌部３ａと、聴取者１０の外耳道１３に嵌合する外側嵌部３ｂと、を備える。外側嵌部３ｂは、弾性を有する軟らかい略円錐曲面を有するように形成されており、一端が内側嵌部３ａから繋がって形成され、他端が自由端となるように形成されているので、外耳道１３に挿入されると弾性変形し、外耳道１３に密着する。したがって、（図示しない）鼓膜、外耳道１３およびイヤーピース３で形成される外耳道内空間１４は、密閉される。
【００３０】
その結果、外耳道内空間１４の内部の空気と、Ｆハウジング５の音道５ｅの空気および音道５ｅに連通する前室空間５ｄの空気は、外部自由空間の空気と、イヤーピース３によってほぼ完全に遮断される。したがって、本実施例１の密閉型のイヤーホン１は、音声再生特性と遮音特性とに優れ、良好な音声再生が可能である。なお、イヤーピース３は、他にも聴取者１０の外耳道１３を保護することができるシリコン、ゴム、ウレタンといった軟質の材料であって、通気性を有しない材料で形成されていてもよい。もちろん、イヤーピース３は、透明／不透明を問わない。
【００３１】
ハウジング４は、動電型ドライバー２の前面側の前室空間５ｄと外部自由空間とを連通する通気管と、通気管内の空気の流れを制御する開閉機構と、を有する。本実施例のイヤーホン１では、Ｆハウジング５の突起部５ｃの内部に形成されて前室空間５ｄに連通する溝部５ｆと、Ｒハウジング６の突起部６ｃの内部に形成されて溝部５ｆに連通する溝部６ｆと、が、通気管を形成する。すなわち、突起部５ｃおよび突起部６ｃは、Ｆハウジング５およびＲハウジング６の継ぎ目にそれぞれに形成され、その内部に溝部５ｆもしくは６ｆを有し、これらが通気管を形成する。本実施例では、通気管の断面は、幅約１．６ｍｍ×高さ約１．０ｍｍの矩形であり、聴取者１０がハウジング４の保持部６ｅを保持する場合に、人差し指（矢印９ｂの方向）を添える位置であるハウジング４の頂部側に形成されている。
【００３２】
図３は、本実施例のイヤーホン１の開閉機構を説明する図である。ハウジング４が有する開閉機構は、開閉弁８を備える。図３（ａ）は、開閉弁８が、溝部５ｆおよび６ｆが形成する通気管を閉じている状態を、図３（ｂ）は、開閉弁８が、溝部５ｆおよび６ｆが形成する通気管を開いている状態を示している。開閉弁８は、板バネ部材に用いられる厚みｔ＝０．２４ｍｍのりん青銅を材料として形成されていて、長さ約８．２ｍｍの短冊状の板バネ部材を折り曲げて形成されている。開閉弁８は、Ｒハウジング６の溝部６ｆの中にその一端８ａ（幅約１．５ｍｍ）が固定され、他端８ｃ（幅約３．１ｍｍ）が溝部６ｆから突出し、かつ、その中間部８ｂ（幅約１．６ｍｍ）が通気管を開閉する弁部を形成している。開閉弁８は、弾性を有する板バネ部材によって中間部８ｂが折り曲げられて形成されているので、その他端８ｃに力が加えられていない状態では、図３（ａ）の様にその中間部８ｂが溝部６ｆを密閉するように取り付けられている。一方で、開閉弁８の他端８ｃに力が加えられる状態では、図３（ｂ）の様にその中間部８ｂが溝部６ｆの密閉状態を解き、図３（ｂ）に記載の双方向矢印で示すように、通気管内の空気を移動可能にする。なお、開閉弁８を形成する板バネ部材としては、ＳＵＳ（ステンレス）等を用いてもよい。
【００３３】
本実施例のイヤーホン１では、聴取者１０がイヤーピース３を外耳道１３に挿脱する場合に、ハウジング４を手の指で保持する動作、つまり、三本の手の指で矢印９ａ〜９ｃの方向からその保持部６ｅに力を加えて保持する動作にともなって、ハウジング４の頂部側に矢印９ｂの方向から手の指（例えば、人差し指）を添えることができるので、幅広く形成された開閉弁８の他端８ｃに力を加えることができる。その結果、開閉弁８は、溝部５ｆおよび６ｆが形成する通気管内の空気を移動可能にするように開く。また、聴取者１０がイヤーピース３を外耳道１３に挿入して装着した場合は、ハウジング４ならびに開閉弁８の他端８ｃから手を離すので、開閉弁８は閉じて、通気管内の空気を移動不可能なように閉じる。したがって、聴取者１０は、イヤーホン１を装着する動作とは別の動作をして開閉弁８を開閉する必要が無く、イヤーホン１を外耳道１３に挿脱する場合のみに、通気管内の空気が移動可能になる。
【００３４】
したがって、イヤーピース３が、聴取者１０の外耳道１３に密着して外耳道内空間１４と外部自由空間とをほぼ遮断する密閉度が高いものである場合にも、イヤーピース３を外耳道１３に挿脱する際には、通気管内の空気が移動可能になっているので、外耳道内空間１４の気圧の変化が大きくならない。つまり、イヤーホン１を挿入する際にも、装着したイヤーホン１を外す際にも、鼓膜に大きな気圧変化が加わることがなく、聴取者１０は強い痛みや圧迫感を感じることが無い。密閉度が高いイヤーピース３を用いる場合に、聴取者がイヤーホンを外耳道に挿脱する際に発生するおそれがある事故を無くすことができるので、鼓膜および耳小骨に障害を生じ、後遺症を残すおそれもない。また、イヤーホン１では、外耳道１３に挿入した後になかば自動的に通気管が閉塞するので、特別な操作を要することなく所定の密閉型としての良好な音声再生特性および遮音特性を確保することができる。
【００３５】
なお、本実施例のイヤーホン１では、開閉機構の溝部５ｆおよび６ｆを、Ｆハウジング５の突起部５ｃと、Ｒハウジング６の突起部６ｃとの内部に形成したが、本発明はこのような形態に限定されるものではない。開閉機構は、前室空間５ｄおよび音道５ｅに連通する通気管と、通気間を開閉する開閉弁８をハウジング４に設け、ハウジング４を手の指で保持する動作にともなって開閉弁８を開けられればよい。
【実施例２】
【００３６】
図４は、本発明の他の好ましい実施例のイヤーホン２１の開閉機構を説明する図である。図４（ａ）は、開閉弁２２が、溝部５ｆおよび６ｆが形成する通気管を閉じている状態を、図４（ｂ）は、開閉弁２２が、溝部５ｆおよび６ｆが形成する通気管を開いている状態を示している。なお、実施例１のイヤーホン１と共通する部分には、共通する番号を付しており、イヤーホン２１の一部の構造や、内部構造等は、省略している。
【００３７】
本実施例では、開閉機構の開閉弁２２は、通気性のない低反発材料で形成されたブロック部材である。例えば、開閉弁２２は、独立気泡を有するエーテル系発泡ウレタン（例えば、見掛密度５０ｋｇ／ｍ３以下、反発弾性５％以下）であり、厚みｔ＝約２．０ｍｍのシートを原材料として形成されていて、幅１．６ｍｍ、長さ５ｍｍの短冊状に切断されて形成されている。したがって、開閉弁２２は、定常状態では厚みｔ０＝約１．５ｍｍであるが、厚み方向に押しつぶされるように力が加わると厚みｔ１＝約０．５ｍｍ以下になる。そして、通気性のない低反発材料であるので、厚み方向に加わっていた力がなくなると、厚みｔ０のブロック状に復帰するまでに、数秒〜数十秒の時間を要するという特性を有する。
【００３８】
開閉弁２２は、Ｒハウジング６の溝部６ｆの中にその底面側２２ａが固定され、他端２２ｃが溝部６ｆから突出し、かつ、その中間部２２ｂが通気管を開閉する弁部を形成している。開閉弁２２は、通気性のない低反発材料で形成されているので、その他端２２ｃに力が加えられていない状態では、図４（ａ）の様にその中間部２２ｂが溝部６ｆを密閉するように取り付けられている。一方で、開閉弁２２の他端２２ｃに力が加えられた状態、もしくは、開閉弁２２の他端２２ｃに力が加えられた直後の状態では、図４（ｂ）の様にその中間部２２ｂが溝部６ｆの密閉状態を解き、図４（ｂ）に記載の双方向矢印で示すように、通気管内の空気を移動可能にする。
【００３９】
本実施例のイヤーホン２１でも、先述の実施例のイヤーホン１と同様に、聴取者１０がイヤーピース３を外耳道１３に挿脱する場合に、ハウジング４を手の指で保持する動作、つまり、三本の手の指で矢印９ａ〜９ｃの方向からその保持部６ｅに力を加えて保持する動作にともなって、ハウジング４の頂部側に矢印９ｂの方向から手の指（例えば、人差し指）を添えることができるので、開閉弁２２の他端２２ｃに力を加えることができる。その結果、開閉弁２２は、溝部５ｆおよび６ｆが形成する通気管内の空気を移動可能にするように開く。また、聴取者１０がイヤーピース３を外耳道１３に挿入して装着した場合は、ハウジング４ならびに開閉弁２２の他端２２ｃから手を離すので、低反発材料がその厚みを復帰することで開閉弁２２は閉じて、通気管内の空気を移動不可能なように閉じる。したがって、聴取者１０は、イヤーホン２１を装着する動作とは別の動作をして開閉弁２２を開閉する必要が無く、イヤーホン２１を外耳道１３に挿脱する場合のみに、通気管内の空気が移動可能になる。
【００４０】
したがって、本実施例のイヤーホン２１を外耳道１３に挿入する際にも、装着したイヤーホン２１を外す場合にも、鼓膜に大きな気圧変化が加わることがなく、聴取者１０は強い痛みや圧迫感を感じることが無い。密閉度が高いイヤーピース３を用いる場合に、聴取者がイヤーホンを外耳道に挿脱する際に発生するおそれがある事故を無くすことができるので、鼓膜および耳小骨に障害を生じ、後遺症を残すおそれもない
【００４１】
なお、開閉機構の開閉弁２２は、他の伸縮性を持つ通気性のないスポンジ状の材料で形成されたブロック部材であればよい。その材料は、例えば、独立気泡を有する発泡ゴムもしくは発泡ウレタンであってもよく、他にも、ナイロン、シリコンまたは熱可塑性エラストマーであってもよい。本実施例の場合には、イヤーホン２１は、開閉機構の構造が簡単であるので、製造コストが低く安価でありながらも、特別な操作を要することなく所定の密閉型としての良好な音声再生特性および遮音特性を確保することができる。
【実施例３】
【００４２】
図５は、本発明の他の好ましい実施例のイヤーホン３１の開閉機構を説明する図である。図５（ａ）は、開閉弁３２が、溝部５ｆおよび６ｆに連通する貫通孔６ｇが形成する通気管を閉じている状態を、図５（ｂ）は、開閉弁３２が、貫通孔６ｇが形成する通気管を開いている状態を示している。なお、実施例１のイヤーホン１と共通する部分には、共通する番号を付しており、イヤーホン３１の一部の構造や、内部構造等は、省略している。
【００４３】
イヤーホン３１の開閉機構においては、通気管が、溝部５ｆおよび６ｆと、これに連通するＲハウジング６に形成された貫通孔６ｇによって形成されている。開閉機構の開閉弁３２は、樹脂で形成されている平板状の弁部３２ａと、弁部３２ａから貫通孔６ｇを通じて突出する突起部３２ｂと、を有する。平板状の弁部３２ａは通気管内に配置されて、突起部３２ｂは、弁部３２ａから貫通孔６ｇを通じて聴取者１０の手の指に当接可能に突出して形成される。平板状の弁部３２ａの直径は、貫通孔６ｇの直径よりも大きく、また、突起部３２ｂの直径は、貫通孔６ｇの直径よりも小さい。さらに、イヤーホン３１の開閉機構は、開閉弁３２の弁部３２ａとＲハウジング６との間に狭持される弾性を有する発泡ゴムから形成されるクッション材３３を備える。
【００４４】
図５（ａ）においては、開閉弁３２がクッション材３３の弾性による力に押されて上昇し、弁部３２ａが貫通孔６ｇを閉塞している。このとき、開閉弁３２の突起部３２ｂは、貫通孔６ｇを通じて突出している。一方、図５（ｂ）においては、開閉弁３２の突起部３２ｂに力が加えられた状態では、クッション材３３が圧縮されて厚みが薄くなるので、図５（ｂ）の様に弁部３２ａが貫通孔６ｇから離隔し、貫通孔６ｇの密閉状態を解き、図５（ｂ）に記載の双方向矢印で示すように、通気管内の空気を移動可能にする。
【００４５】
本実施例のイヤーホン３１においても、先述の実施例のイヤーホン１もしくは２１と同様に、聴取者１０がイヤーピース３を外耳道１３に挿脱する場合に、ハウジング４を手の指で保持する動作、つまり、三本の手の指で矢印９ａ〜９ｃの方向からその保持部６ｅに力を加えて保持する動作にともなって、ハウジング４の頂部側に矢印９ｂの方向から手の指（例えば、人差し指）を添えることができるので、開閉弁３２の突起部３２ｂに力を加えることができる。その結果、開閉弁３２の弁部３２ａが貫通孔６ｇから離隔して、溝部５ｆおよび６ｆ、貫通孔６ｇが形成する通気管内の空気を移動可能にするように開く。また、聴取者１０がイヤーピース３を外耳道１３に挿入して装着した場合は、ハウジング４ならびに開閉弁３２の突起部３２ｂから手を離すので、開閉弁３２は閉じて、通気管内の空気を移動不可能なように閉じる。したがって、聴取者１０は、イヤーホン３１を装着する動作とは別の動作をして開閉弁３２を開閉する必要が無く、イヤーホン１を外耳道１３に挿脱する場合のみに、通気管内の空気が移動可能になる。
【００４６】
したがって、本実施例のイヤーホン３１を外耳道１３に挿入する際にも、装着したイヤーホン３１を外す際にも、鼓膜に大きな気圧変化が加わることがなく、聴取者１０は強い痛みや圧迫感を感じることが無い。密閉度が高いイヤーピース３を用いる場合に、聴取者がイヤーホンを外耳道に挿脱する際に発生するおそれがある事故を無くすことができるので、鼓膜および耳小骨に障害を生じ、後遺症を残すおそれもない
【００４７】
なお、開閉弁３２は、聴取者１０がハウジング４を手の指で保持する動作に際して、その矢印９ｂで図示される力を加える人差し指と当接する当接部材を、ハウジング４の外側に備えていてもよい。例えば、図示しないが、開閉弁３２の突起部３２ｂの先端に人差し指と当接するボタン状の当接部材を連結すれば、聴取者１０は、イヤーホン３を外耳道に挿脱する際に、開閉弁３２に人差し指が当接し易くなる。この当接部材が押されると、その動作に合わせて開閉弁３２が開くので、通気管内の空気が、前室空間５ｄおよび音道５ｅと、ハウジング４の外部自由空間とを連通する。
【００４８】
また、本実施例のイヤーホン３１の開閉機構におけるクッション材３３は、バネ、スプリング、ゴム、といった弾性を備えて、平板状の弁部３２ａと溝部６ｆとの間に狭持されたときに弾性力を発揮する弾性体であれば、発泡ゴムもしくは発泡ウレタンであってもよく、他にも、ナイロン、シリコンまたは熱可塑性エラストマーであってもよく、その材料もしくは形態を問わない。
【００４９】
また、上記実施例で説明するイヤーホン１、２１および３１は、音声再生特性と遮音特性とに優れる密閉型であり、それぞれのハウジング４に形成される通気管は、前室空間５ｄおよび音道５ｅと、ハウジング４の外部自由空間とを連通しているが、外耳道内空間１４に連通する密閉された空間が前室空間５ｄおよび音道５ｅの他に存在する場合は、その密閉された空間と外部自由空間とを連通する別の通気管と、開閉弁を有していてもよい。
【００５０】
また、上記実施例で説明するイヤーホン１、２１および３１は、音声信号を音波に変換するドライバーを動電型ドライバー２としたが、この他に、バランスドアーマチュア型ドライバー、もしくは、圧電型ドライバーであってもよい。ハウジング４は、樹脂で形成される以外にも、金属や木材で形成されていてもよい。
【産業上の利用可能性】
【００５１】
本発明のイヤーホンは、図示した片耳に装着するイヤーホンとしてのみならず、左右耳それぞれに装着してステレオ音声を再生するステレオイヤーホンにも適用が可能である。また、ステレオイヤーホンである場合には、装着時の左右耳のバラツキが少なくなるので、ステレオ再生時の良好な音声再生特性と定位感を確保することができる。
【図面の簡単な説明】
【００５２】
【図１】本発明の好ましい実施形態によるイヤーホン１を説明する図である。（実施例１）
【図２】本発明の好ましい実施形態によるイヤーホン１の内部構造と、このイヤーホン１を聴取者１０の両耳のうちその一方の耳に装着した場合と、を説明する断面図である。（実施例１）
【図３】本発明の好ましい実施形態によるイヤーホン１の開閉機構を説明する図である。（実施例１）
【図４】本発明の他の好ましい実施形態によるイヤーホン２１の開閉機構を説明する図である。（実施例２）
【図５】本発明の他の好ましい実施形態によるイヤーホン３１の開閉機構を説明する図である。（実施例３）
【符号の説明】
【００５３】
１        イヤーホン
２        ドライバー
３        イヤーピース
４        ハウジング
５        Ｆハウジング
６        Ｒハウジング
７        ブッシング
８        開閉弁
１０      聴取者
１１      耳介
１２      耳介腔
１３      外耳道
１４      外耳道内空間
２１      イヤーホン
２２      開閉弁
３１      イヤーホン
３２      開閉弁
３３      クッション材
【図１】
2008147710.tif 000003
【図２】
2008147710.tif 000004
【図３】
2008147710.tif 000005
【図４】
2008147710.tif 000006
【図５】
2008147710.tif 000007